【事件の表示】
　特願２００５−２５９３８１「音声認識用ベースバンドのモデムと、それを用いる移動通信端末機」拒絶査定不服審判事件〔平成１８年　３月２３日出願公開、特開２００６−　７９０８９〕について、次のとおり審決する。
【結　論】
　本件審判の請求は、成り立たない。
【理　由】
１．手続の経緯
　
　本願は、平成１７年９月７日（優先権主張：韓国、平成１６年９月７日）の出願であって、平成２１年１月２２日付け拒絶理由通知に対して平成２１年４月２２日付けで手続補正書が提出されたが、平成２１年６月２４日付けで拒絶査定がされたものである。
　これに対して平成２１年１０月２８日に拒絶査定不服審判が請求されるとともに同日付けで手続補正書が提出されている。 
　
２．本願発明の認定
  
　本願の発明は、平成２１年１０月２８日付け手続補正書により補正された明細書及び図面の記載からみて、その特許請求の範囲の請求項１から請求項１９までに記載した事項により特定されるとおりのものと認められるところ、そのうち、請求項１に係る発明は、下記のとおりである。
　
　　【請求項１】
音声認識のためのサンプリングレートと、音声通話のためのサンプリングレートのうち何れか一つを用いて、入力されたボイス信号に対して変調を実施するオーディオコーデックと、
前記音声認識のためのサンプリングレートを用いて、変調された前記オーディオコーデックの出力から特徴ベクトルを抽出する特徴ベクトル抽出ブロックと、
前記特徴ベクトル抽出ブロックの出力を用いて、音声認識を行う音声認識ブロックと、
前記音声通話のためのサンプリングレートを用いて、変調された前記オーディオコーデックの出力をボコーディグするボコーダとを含んで構成され、
前記入力されたボイス信号が前記音声認識のための信号であるか、前記音声通話のための信号であるかを区分する制御器を更に含んで構成され、前記入力されたボイス信号が前記音声認識のための信号である場合に、前記制御器は、前記特徴ベクトル抽出ブロックおよび前記音声認識ブロックのレジスタをオンにし、前記入力されたボイス信号が前記音声通話のための信号である場合に、前記制御器は、前記特徴ベクトル抽出ブロックおよび前記音声認識ブロックのレジスタをオフにすることを特徴とする、ベースバンドモデム。
　　　（以下、この請求項１に係る発明を「本願発明」という。）
　
３．引用刊行物記載の発明 
　
　原査定の拒絶の理由は、平成２１年１月２２日付け拒絶理由通知書により通知した特許法第２９条第２項の規定による拒絶理由であり、該理由において引用された刊行物１（特開２０００−２０９２７３号）には、図面とともに、以下（ア）〜（コ）に示す事項が記載されている。
　
（ア）「【請求項７】　音響信号を受信するマイクロホンと、
　前記マイクロホンからの受信音響信号をデータ信号に変換するために前記マイクロホンに接続されたインタフェースと、
　無線データ通信信号を送信する無線モジュールと、
（１）前記インタフェースからの限定された数のデジタルデータ信号を認識して、前記無線モジュールを制御するためにデジタルデータ信号に応じて作動し、（２）デジタルデータ信号を送信するために前記無線モジュールを作動し、（３）前記無線モジュールへのデータパケットとして前記マイクロホンからの音に対応するデジタルデータ信号を供給する、ためのプログラムを含むデジタル信号プロセッサと、を含むことを特徴とする移動式ユニット。」
　
（イ）「【請求項９】　（前略）
　前記デジタル信号プロセッサは、（中略）更にプログラムされる、ことを特徴とする請求項７に記載の移動式ユニット。
　　【請求項１０】　前記デジタルプロセッサは、（中略）更にプログラムされることを特徴とする請求項９に記載の移動式ユニット。
　　【請求項１１】　前記デジタルプロセッサは、前記インタフェースを指令に対応する音声信号データに関して第１のサンプリング速度を有し音声通信に対応する音声信号に関して第２のサンプリング速度を有するように制御することを特徴とする請求項１０に記載の移動式ユニット。」
　
（ウ）「【０００８】
　１つの構成において、デジタルプロセッサは、音に対応するデジタルデータ信号を圧縮するようにプログラムしてもよい。移動式ユニットは、マイクロホンを含んでもよく、インタフェースは、音響信号を表すデジタルデータ信号を変換してその音響信号をスピーカに供給するように準備することができる。デジタル信号プロセッサは、無線モジュールによって受信したデジタルデータ信号を音響信号に変換するためにインタフェースに供給するように更にプログラムされる。デジタルプロセッサは、マイクロホンからの音響信号を表すデジタルデータ信号を圧縮し、無線モジュールによって受信したデジタルデータ信号を解凍するようにプログラムされることが好ましい。移動式ユニットは、任意選択的にインタフェースを有する場合があり、それにより、デジタルプロセッサは、データ信号が無線モジュールを使用してホストプロセッサによって送信又は受信できるようにホストプロセッサに接続される。（後略）」　
　
（エ）「【０００９】
　　【発明の実施の形態】
　図１において、本発明の実施形態による移動式ユニット１０のブロック図を示す。装置１０は、アナログプロセッサ１６に対して又はそれから可聴アナログ信号を供給及び受信するためにそれぞれ結合されたマイクロホン１２、及び、スピーカ又はイヤホン１４を含む。マイクロホン１２からの可聴信号をそれに対応するデジタルデータ信号に、また、音を表すデジタルデータ信号をスピーカ１４に供給されるアナログ信号に各々変換する可聴Ｃｏｄｅｘ１８が準備される。Ｃｏｄｅｘ１８は、好ましい構成においてはテキサス・インスツルメンツ５４０９デジタル信号プロセッサ（ＤＳＰ）であるプロセッサ２０の第１シリアルポートとインタフェースする。当業者は、本発明を実行する目的で他のプロセッサを使用し得ることが分かるであろうが、５４０９ＤＳＰは、以下で説明する通り、シリアルポート及びデータバスを経由して他の装置とインタフェースするその能力を含め、その作動速度、中庸な電力消費量、及び、他の機能に関連した特別な利点を有すると考えられる。プロセッサ２０の第２シリアルポートは、ＲＦアナログ部２４と結合されるＲＦベースバンドプロセッサ２２とインタフェースする。プロセッサ２２及びアナログ回路２４は、好ましい実施形態において、８０２．１１プロトコルに従うデジタルデータ信号の送受信に対応する。信号は、アンテナ２６によって送信及び受信される。移動式ユニット１０及び本発明の方法は、ブルートゥースなどの他の無線データ通信プロトコルに従って適用することができ、以下の記述において、装置、方法、及び、システムは、８０２．１１システムに関連して説明される。当業者は、他のシステムとの互換性に関して装置及び方法を再構成することができる。」
　
（オ）「【００１３】
　図２は、本発明の移動式ユニット１０を使用することができるシステム構成の例を示す。図２に示すように、大規模語彙音声認識システムをサポートすることができる、例えばＵＮＩＸ（登録商標）又は他のオペレーティングシステムで作動するサーバシステムであり得るコンピュータ１５が提供される。コンピュータ１５は、８０２．１１プロトコル又は他の無線プロトコルを用いて移動式ユニット１０と無線通信を行うアクセスポイント１７に接続される。コンピュータ１５はまた、デジタルＰＢＸ（構内交換機）１９又はプリンタ２３などの他の周辺機器に接続してもよい。また、アクセスポイント１０又は他のアクセスポイントを通じてコンピュータ１５と８０２．１１又は他の無線通信を行うために、別の移動式ユニット２１を設けてもよい。代替的に、移動式ユニット２１は、アクセスポイント１７を通じて移動式ユニット１０との無線通信をもたらすことができる。（後略）」
　
（カ）「【００１５】
　好ましい構成において、移動式ユニット１０は、音声指令を使用して装置自体及び／又はコンピュータ１５を制御し得る方法を実行する。本発明の好ましい構成によれば、移動式ユニット１０には、ユーザによってマイクロホン１２に与えられる１つ又は非常に少数の音声指令を認識するプログラミングがＤＳＰに準備される。追加の指令は、移動式ユニット１０からアクセスポイント１７へ、その後、より大規模な語彙音声認識システムを有するコンピュータ１５へと、音声データのデジタル通信によって与えられる。
　移動式ユニット１０は、音声指令及び音声通信機能をもたらすために、上記のような自立型装置として使用することができる。それに加えて移動式ユニット１０は、通信モジュールとして作動する、より大きい携帯装置の一部として形成することができる。」
　
（キ）「【００１８】
　自立型形態、又は、他の装置との組み合わせ時のいずれにおいても、移動式ユニット１０の重要な用途は、音声通信機能をもたらすことである。第１の作動モードにおいては、図２に示すように、好ましくはコンピュータ１５及びアクセスポイント１７を備える有線ネットワークに接続されたＰＢＸ１９を準備することによって電話通信を与えることができる。ＰＢＸ１９は、音声対応データ信号の音声信号への変換、及び、その逆の変換をもたらすインタフェースを備える。それに加えてインタフェースは、デジタルアドレス信号のＰＢＸ１９を作動して電話内線又は外線番号にアクセスするためのＤＴＭＦ信号への変換を準備してもよい。アドレス信号は、アクセスポイント１７を通じて移動式ユニット１０から受信された音声指令に応答して、コンピュータ１５によりＰＢＸインタフェースに供給されてもよい。  」
　
（ク）「【００２０】
　電話の通話を終了するには、ユーザは、コンピュータ１５への音声リンクを確立するようにＤＳＰ２０によって認識される「コンピュータ・オン」を指令することによってコンピュータの支援を呼び出してもよい。この後に、コンピュータ１５によって受信及び実行される「通話の終了」又は「電話を切る」などのユーザ音声指令が続いても良い。代替的に、電話の通話中にローカル音声認識プログラムが作動していない場合、装置には、装置を音声認識モードに置く、又は、通話を中断してコンピュータ１５に音声指令を送信する、指令ボタンが備えられてもよい。ボタンを押すことにより、移動式ユニット１０は、音声メッセージを電話の会話の一部として送るよりはむしろ、コンピュータ１５の認識ルーチンに音声メッセージを送る。」
　
（ケ）「【００２６】
　図４は、可聴Ｃｏｄｅｘ１８とデジタルプロセッサ２０とのインタフェースを示すブロック図である。可聴Ｃｏｄｅｘ１８は、デジタル信号プロセッサ２０のシリアルポート４０に接続される。デジタル信号プロセッサ２０のプログラミングは、ＤＭＡ（直接メモリアクセス）メモリを通じてシリアルポート４０で供給されたデータをデジタル信号プロセッサ２０のメモリ４６内の第１、第２、及び、可能性としてはそれ以上の緩衝記憶装置４２及び４４にアクセスさせるように準備される。特に、アナログ可聴信号は、可聴Ｃｏｄｅｘ１８で例えば１４又は１６ビット信号であるデータ信号に変換され、ＤＭＡチャンネルを通るシリアルポート４０を通じてデジタル信号プロセッサ２０のメモリ４６の第１バッファ４２の中に計時される。サンプリング速度は、例えば６４Ｋビット／秒の場合もあるし、可聴サンプリング品質の高低を得るために変更されてもよい。例えば、電話様式の通信などの音声通信には低サンプリング速度を使用してもよく、あるいは、音声認識プログラムによって認識する必要がある第１又は第２指令などの音声入力には高サンプリング速度を使用してもよい。サンプルは、１０ミリ秒分のサンプルを保持する能力を有するバッファ４２に供給される。バッファ４２が満杯となると、割込サービスルーチン（Ｉｎｔｅｒｒｕｐｔ　Ｓｅｒｖｉｃｅ　Ｒｏｕｔｉｎｅ）（ＩＳＲ）によって、ＤＭＡチャンネルが第２バッファ４４に自動的に切り替わり、デジタル信号プロセッサがデータをバッファ４２で処理する間、音声データをバッファ４４に供給し続ける。音声処理は、通常、７２９回の圧縮を行うのに１ミリ秒かかり、反響相殺及びデジタル可聴信号のパケット化などの他の作業に恐らく更に１ミリ秒かかることになる。第２バッファ４４が満杯になった後、バッファ４４のデータがデジタル信号プロセッサによって処理される間、音声データは、第１バッファ４２に供給される。
　
（コ）「【００５１】
　以下は、移動式ユニット１０のいくつかの他の作動モードである。時間が経てば開発される他のモードがあってもよい。更に、単に別々のモードとして識別されるからといって、それを別のモード内でサブモードとして実行してはならないという意味ではない。
　　　　　　（中略）
　・ローカル音声認識／ＲＦ　ＰＳＰ：このモードは、移動式ユニット１０の通常のスリープ状態である。それは、ＡＰからのビーコンで目を覚まし、内蔵の小規模語彙語音認識プログラムを使用して入力として特定の「魔法の言葉」を探す。ネットワークからのパケット受信と同じく、キーを押しても装置を起こすことができる。
　　　　　　（後略）　　　　」
　
　これを整理すれば、刊行物１には、実質的に次の（サ）なる発明が記載されていることになる。以下、これを「引用発明」という。
　
［引用発明］
（サ）音声認識プログラムによって認識する必要がある音声入力には高サンプリング速度を使用し、音声通信には低サンプリングレートを使用して、入力された音声信号に対して変換を行う可聴ＣＯＤＥＸ１８、
　可聴ＣＯＤＥＸ１８の出力を、ＲＦベースバンドプロセッサを介して送信するためにブルートゥースなどの他の無線データ通信プロトコルに従ってインターフェースするプロセッサ２２等、
　を備え
　通常の電話通信（音声通信）に加えて、内蔵の小規模語彙語音認識プログラムを使用してローカル音声認識を行う作動モードと、を有し、
　通話中に指令ボタンを操作する等により装置を音声認識モードに置き、可聴ＣＯＤＥＸ１８の出力を音声認識する、
　音声通信、音声認識に用いる無線通信のための移動式ユニット。
　　　
４．本願発明と引用発明との対比
　
　引用発明における「音声認識プログラムによって認識する必要がある音声入力には高サンプリング速度を使用し、音声通信には低サンプリングレートを使用して、入力された音声信号に対して変換を行う可聴ＣＯＤＥＸ１８」は、本願発明における「音声認識のためのサンプリングレートと、音声通話のためのサンプリングレートのうち何れか一つを用いて、入力されたボイス信号に対して変調を実施するオーディオコーデック」に相当する。
　
　引用発明における「可聴ＣＯＤＥＸ１８の出力を、ＲＦベースバンドプロセッサを介して送信するためにブルートゥースなどの他の無線データ通信プロトコルに従ってインターフェースするプロセッサ２２等」は、本願発明における「変調された前記オーディオコーデックの出力をボコーディグするボコーダ」の機能を含むものである。
　
　引用発明が「通常の電話通信（音声通信）に加えて、内蔵の小規模語彙語音認識プログラムを使用してローカル音声認識を行う作動モードと、を有し」ていることは、引用発明が「音声認識を行う音声認識ブロック」を有していることに他ならない。
　
　また、本願発明における「制御器」は、発明の詳細な説明の段落【００４１】、【００４２】に、
「　【００４１】
　一方、入力される信号が音声認識のための信号であるか、音声通話のための信号であるかの区分は、ユーザーがどんなアプリケーションを選択するかによって実現される。
　　【００４２】
　即ち、ユーザーが音声通話のためのアプリケーションを選択すると、以後オーディオコーデック２２に入力される信号は、音声通話のためのボイス信号である。そして、ユーザーが音声認識のためのアプリケーションを選択すると、以後オーディオコーデック２２に入力される信号は、音声認識のためのボイス信号である。」
と記載されていることから明らかなように、「ユーザーがアプリケーションを選択することにより」、「音声認識のための信号であるか、音声通話のための信号であるかの区分」をするものであるから、引用発明が「通話中に指令ボタンを操作する等により装置を音声認識モードに置き、可聴ＣＯＤＥＸ１８の出力を音声認識する」ように構成されていることは、「入力されたボイス信号が前記音声認識のための信号であるか、前記音声通話のための信号であるかを区分する制御器」を実質的に有しているものと判断される。
　
　そして、引用発明は、「可聴ＣＯＤＥＸ１８の出力を、ＲＦベースバンドプロセッサを介して送信するためにブルートゥースなどの他の無線データ通信プロトコルに従ってインターフェースするプロセッサ２２等」を有するものであり、「ＲＦベースバンドプロセッサを介して送信するために・・・無線データ通信プロトコルに従ってインターフェースする」ことは「ベースバンドモデム」の機能に他ならないから、引用発明の「無線通信のための移動式ユニット」は、
“音声認識プログラムによって認識する必要がある音声入力には高サンプリング速度を使用し、音声通信には低サンプリングレートを使用して、入力された音声信号に対して変換を行う可聴ＣＯＤＥＸ１８、
　可聴ＣＯＤＥＸ１８の出力を、ＲＦベースバンドプロセッサを介して送信するためにブルートゥースなどの他の無線データ通信プロトコルに従ってインターフェースするプロセッサ２２等、
　を備え
　通常の電話通信（音声通信）に加えて、内蔵の小規模語彙語音認識プログラムを使用してローカル音声認識を行う作動モードと、を有し、
　通話中に指令ボタンを操作する等により装置を音声認識モードに置き、可聴ＣＯＤＥＸ１８の出力を音声認識する、
　音声通信、音声認識に用いる『ベースバンドモデム』を備えた無線通信のための移動式ユニット。”
といえる。
　
　したがって、両者は、次の（シ）の点で一致し、（ス）及び（セ）の点で相違する。
　
［一致点］
（シ）音声認識のためのサンプリングレートと、音声通話のためのサンプリングレートのうち何れか一つを用いて、入力されたボイス信号に対して変調を実施するオーディオコーデックと、
　前記音声認識のためのサンプリングレートを用いて、変調された前記オーディオコーデックの出力から音声認識を行う音声認識ブロックと、
　前記音声通話のためのサンプリングレートを用いて、変調された前記オーディオコーデックの出力をボコーディグするボコーダとを含んで構成され、
　前記入力されたボイス信号が前記音声認識のための信号であるか、前記音声通話のための信号であるかを区分する制御器を更に含んで構成される、ベースバンドモデム。
　
［相違点］
（ス）本願発明が、「変調された前記オーディオコーデックの出力から特徴ベクトルを抽出する特徴ベクトル抽出ブロック」を有し、「特徴ベクトル抽出ブロックの出力を用いて、音声認識を行う」ものであるのに対し、引用発明は、音声信号から特徴ベクトルを抽出し、抽出した特徴ベクトルを用いて音声認識を行うことについて言及されていない点。
　
（セ）本願発明における制御器が「前記特徴ベクトル抽出ブロックおよび前記音声認識ブロックのレジスタをオンにし、前記入力されたボイス信号が前記音声通話のための信号である場合に、前記制御器は、前記特徴ベクトル抽出ブロックおよび前記音声認識ブロックのレジスタをオフにすること」ことを特徴とするのに対し、引用発明は、そのような機能について言及されていない点。
　
５．相違点の判断 
　
　相違点（ス）について検討する。
　
　音声認識の手法として最も単純なものは、認識対象音声に対してと照合対象を音声信号として直接比較する方法であるが、これは照合対象の音声信号を多く用意しておき、多くの比較処理を行う必要があるため、実際には認識対象音声から種々の観点での複数の物理量を抽出して特徴量とし、照合対象の特徴量と相互に比較することが一般的である。
　そして、種々の観点の複数の物理量はベクトル量に相当することから、入力音声から抽出される特徴量情報を抽出するための特徴ベクトル抽出手段を設け、抽出された特徴ベクトルと照合ベクトルと比較して認識することが、音声認識において普通に行われている。
　したがって、引用発明において「変調された前記オーディオコーデックの出力から特徴ベクトルを抽出する特徴ベクトル抽出ブロック」を有し、「特徴ベクトル抽出ブロックの出力を用いて、音声認識を行う」ようにすることは設計的事項にすぎない。
　
　相違点（セ）について検討する。
　
　本願発明の「前記入力されたボイス信号が前記音声認識のための信号である場合に、前記制御器は、前記特徴ベクトル抽出ブロックおよび前記音声認識ブロックのレジスタをオンにし、前記入力されたボイス信号が前記音声通話のための信号である場合に、前記制御器は、前記特徴ベクトル抽出ブロックおよび前記音声認識ブロックのレジスタをオフにする」における「レジスタ」とは、発明の詳細な説明等の記載を参酌すれば、当該記載は使用しない機能ブロック（本願では「特徴ベクトル抽出」「音声認識」）の活性／非活性を行うためのものであって、該レジスタはそれ以上の機能を実行するものではない。
　
　一方、省電力を目的として、機能ブロックの活性／非活性をレジスタ（メモリ）を用いて制御する点は例えば特開平３−１１６２１０号公報に見られるように当該技術分野における周知慣用の技術である。また、音声認識機能を有する機器において音声認識の利用有無に応じて音声認識ブロックを活性／非活性を制御する点は例えば特開平４−２５５１４３号公報に見られるようにに当該技術分野における周知慣用の技術である。
　
　してみれば、引用発明においてそのような非活性化制御手段を用いることは単なる周知慣用技術の付加にすぎないことである。
　引用発明の移動式ユニットに対してそのような上述周知慣用の技術を付加することに格別の阻害要因はなく、使用しないブロックを不活性化することは単なる設計的事項にすぎない。
　　
　上述のとおりであるから、本願発明と引用発明との相違点（ス）（セ）は、いずれも、当業者が適宜なし得た設計的事項であり、格別なものではない。
　そして、これら相違点による本願発明の効果は、個々の相違点の構成自体の有する効果にすぎず、個々の相違点に係る構成の組合せによって新たな効果を奏するものではない。
　
　してみれば、本願請求項１に係る発明は、引用刊行物１に記載された発明において、単に多々の周知技術事項を付加したものであって、該付加に格別の想考困難性は認められない。
　
６．むすび
　
　以上のとおりであるから、本願発明は、原審において引用された刊行物に記載された発明に基づいて、当業者が容易に発明をすることができたものであり、特許法第２９条第２項の規定により特許を受けることができない。
　したがって、残る請求項に係る各発明について特に検討することなく、本願は拒絶をすべきものであり、「原査定を取り消す。本願は特許をすべきものである、との審決を求める。」という審判請求の趣旨はこれを認めることができない。　
　 
　よって、結論のとおり審決する。